(57)【特許請求の範囲】
【請求項１】
一方の管体Aと他方の管体Bとを管体B端部の受口部内周面に嵌着したパッキンを介して接続する方法であって、
上記パッキンは、全体形状が略円筒形状で、先端部が上記受口部のパッキン保持部に嵌合する環状膨出部に形成され、中間部が薄肉直筒部に形成され、後端部が上記受口部の外拡がりテーパ部に嵌合する少なくともその外径方向に向かって次第に肉厚を増す厚肉テーパ部に形成されており、かつ、上記厚肉テーパ部の内周面の後端内径を管体Aの挿口部の先端外径と略等しいかこれより小さい寸法に形成されており、
管体Bを管体A端部のその外周面が先端部に向かって次第に外径を小さくする先細りテーパ状の上記挿口部の外側に嵌合していくことにより、
上記環状膨出部がその内径を拡大しながら押し込まれ、
上記厚肉テーパ部が、上記薄肉直筒部が軸方向に引き伸ばされることにより、当初位置より後退して上記外拡がりテーパ部との間に生じた隙間により外径方向に拡大できるようにされており、
管体Aの先端部を上記厚肉テーパ部の後端にまで挿入して接続を完了することにより、
上記パッキンが上記挿口部の外周面にテーパ嵌合により密着するようにしたことを特徴とする管体接続方法。
【請求項２】
一方の管体Aがエアコンのドレンパンより一体に突設した排水用管部で、他方の管体Bが可撓性ドレンホースである請求項１に記載の管体接続方法。
【発明の詳細な説明】
【０００１】
【発明の属する技術分野】
本発明は、例えばエアコンの室内機におけるドレンパンの排水管部とドレンホースとの管接続部の受口内に使用して好適なパッキン及びこのパッキンを使用した管接続部に関するものである。
【０００２】
【従来の技術】
エアコンの室内機においては、結露したドレン水を一旦ドレンパンに集め、ドレンパンから可撓性ホース(ドレンホース)によって外部に排出するようにしているが、合成樹脂によりドレンパンと一体に突設される排水用管部とドレンホースとの接続にあたっては、ドレンホースの挿入の容易性、抜けにくさ、優れた水密性等が要求されている。
【０００３】
従来、上記のドレンホースとして図４に示すように、蛇腹状の樹脂ホース４０の先端受口部４１にＯリング４２を嵌合させたものが知られている。しかし、上記排水管部は、多くの場合射出成形上の問題特に金型からの離型性を考慮して２〜３゜の抜きテーパが付けられ、先端に向かって先細りのテーパ状の管体に形成されているため、これに従来のドレンホースを接続する場合、排水管部への挿入は容易であるが抜け方向に力が作用すると簡単に抜け落ちてしまいドレン水が室内に漏れ出してしまう問題があった。
【０００４】
【発明が解決しようとする課題】
本発明は、上記問題点に鑑み、ドレンホース等の端部に形成される受口と排水管部等の挿口との嵌合が容易でかつ抜き止めが強力であり、しかも水密性に優れた管体接続方法を提供することを課題とする。
【０００５】
【課題を解決するための手段】
上記課題を解決するため、請求項１記載の管体接続方法は、一方の管体Aと他方の管体Bとを管体B端部の受口部内周面に嵌着したパッキンを介して接続する方法であって、上記パッキンは、全体形状が略円筒形状で、先端部が上記受口部のパッキン保持部に嵌合する環状膨出部に形成され、中間部が薄肉直筒部に形成され、後端部が上記受口部の外拡がりテーパ部に嵌合する少なくともその外径方向に向かって次第に肉厚を増す厚肉テーパ部に形成されており、かつ、上記厚肉テーパ部の内周面の後端内径を管体Aの挿口部の先端外径と略等しいかこれより小さい寸法に形成されており、管体Bを管体A端部のその外周面が先端部に向かって次第に外径を小さくする先細りテーパ状の上記挿口部の外側に嵌合していくことにより、上記環状膨出部がその内径を拡大しながら押し込まれ、上記厚肉テーパ部が、上記薄肉直筒部が軸方向に引き伸ばされることにより、当初位置より後退して上記外拡がりテーパ部との間に生じた隙間により外径方向に拡大できるようにされており、管体Aの先端部を上記厚肉テーパ部の後端にまで挿入して接続を完了することにより、上記パッキンが上記挿口部の外周面にテーパ嵌合により密着するようにしたことを特徴とするものである。
【０００６】
また、請求項２記載の管体接続方法は、請求項1において、一方の管体Aがエアコンのドレンパンより一体に突設した排水用管部で、他方の管体Bが可撓性ドレンホースであることを特徴とするものである。
【０００８】
【発明の実施の形態】
以下、本発明の実施の形態を図面に基づいて説明する。図１は一方の管体Ａと他方の管体Ｂを接続する前の状態、図２は管体Ａ，Ｂの接続中途過程の状態、図３は管体Ａ，Ｂの接続完了状態を示す。
【０００９】
管体Ａは、図示しないエアコンの合成樹脂製のドレンパン本体から一体に突設された排水管部(挿口部)１０で、その外周面は先端部１１に向かって次第に外径を小さくする先細りのテーパ面１２に形成されている。
【００１０】
管体Ｂは、本体蛇腹部２１と端部の受口部２２が合成樹脂(例えばポリオレフィン系樹脂)により一体成形された可撓性ドレンホース２０で、その外側には発泡樹脂からなる筒状の断熱カバー(図示せず)が被覆されている。受口部２２はその内周面にパッキン３０を嵌着する部位で、先端内周面に環状の凹部を形成したパッキン保持部２３と、Ｃリング嵌合用の溝部２４と、外拡がりテーパ部２５とから構成されている。
【００１１】
パッキン３０は、ゴムや軟質樹脂等からなる短い略円筒形状で、先端部に形成されドレンホース２０のパッキン保持部２３に嵌合する環状膨出部３１と、中間部に形成される薄肉直筒部３２と、後端部に形成されドレンホース２０の外拡がりテーパ部２５に嵌合する厚肉テーパ部３３とで構成されている。厚肉テーパ部３３は薄肉直筒部３２から延設されその外径方向及び内径方向に向かって次第に肉厚を増加させてあり、そのテーパ角θを１２゜に形成してある。なお、外拡がりテーパ部２５は、厚肉テーパ部３３よりも軸方向の長さを若干長くしてある。
【００１２】
本実施例では、パッキン３０の環状膨出部３１の内径を排水管部１０の先端外径と略同一の寸法Ｄにし、厚肉テーパ部３３の後端内径Ｄ’を上記Ｄより小さい寸法にしているが、厚肉テーパ部３３の内周面を薄肉直筒部３２と同じ平滑面にして後端内径Ｄ’を上記Ｄと略同一寸法に形成してもよい。なお、２６は金属製のＣリングで、ドレンホースの経時劣化によるクリープ割れを防止するものである。
【００１３】
図２に示すように、ドレンホース２０を排水管部１０の外側に嵌合していくと、まずパッキン３０の環状膨出部３１が先端部１１からテーパ面１２に沿ってその内径を拡大しながら押し込まれ、続いて薄肉直筒部３２も同様にテーパ面１２上を押し込まれていくが、このとき薄肉直筒部３２は軸方向に引き伸ばされることを強いられるため、先端部１１が厚肉テーパ部３３に達する際には、厚肉テーパ部３３は当初の位置より後退させられており、外拡がりテーパ部２５との間に僅かな隙間ｈを生じることになる。
【００１４】
従って、その後挿入作業を継続しても、厚肉テーパ部３３が外径方向に拡大していく余裕があり、先端部１１を厚肉テーパ部３３の後端にまで挿入し終わるまで多大の力を必要とすることなくスムースに嵌合できることになる。図３に示す管体Ａ，Ｂの接続完了状態では、パッキン３０と排水管部１０とはテーパ嵌合により後者の表面に前者が食い込むように密着し良好な水密性が維持されている。
【００１５】
また、管体Ａ，Ｂに引き抜く方向に力が作用しても、薄肉直筒部３２が軸方向に圧縮されてもとの肉厚に復帰しようとし、厚肉テーパ部３３がクサビ効果を発揮するので接続部が容易に離脱することはない。なお、厚肉テーパ部３３のテーパ角を１２°に設定した場合、挿入力に対して引き抜き力は約１．４倍に高まることが確認された。
【００１６】
以上、本発明の実施例を図面により説明したが、本発明の具体的な構成は図示の実施例に限定されるものでなく、本発明の要旨を逸脱しない範囲の設計変更は本発明に含まれる。例えば、管体Ａ，Ｂは上記用途のものに限られず下水管等の剛性管であってもよく、パッキン３０のテーパ角等の形状は適宜選択できる。
【００１７】
【発明の効果】
本発明においては、挿口をパッキンを越えて受口に容易に差し込むことができる。また、パッキンの内周面が挿口の外周面に強く押し付けられるので、水密性が優れている。さらに、パッキンのクサビ効果により引き抜き力は著しく大きく容易に離脱することがない。
【図面の簡単な説明】
【図１】本発明の接続部の接続前を示す断面正面図。
【図２】本発明の接続部の接続中途過程を示す上半部切欠正面図。
【図３】本発明の接続部の接続完了状態を示す上半部切欠正面図。
【図４】従来例を示す断面正面図。
【符号の説明】
１０  接続管部
１１  先端部
１２  テーパ面
２０  ドレンホース
２１  本体蛇腹部
２２  受口部
２３  パッキン保持部
２４  溝部
２５  外拡がりテーパ部
３０  パッキン
３１  先端嵌合部
３２  薄肉直筒部
３３  厚肉テーパ部
【図１】
0003868732.tif 000002
【図２】
0003868732.tif 000003
【図３】
0003868732.tif 000004
【図４】
0003868732.tif 000005